(57)【要約】【課題】小型で設置スペースが少なくて済む締付固定具により遊技盤等の各種遊技機部品が装着できるようにした遊技機を提供する。【解決手段】遊技機部品７を取着する取付面６ｂに垂直に立設される本体部材１３と、その一側面に配置されその側面に沿って取付面に対し垂直方向へ摺動するスライド部材１４と、該スライド部材１４の外側に配置され一端が該スライド部材１４に軸着される第一リンク部材１５と、スライド部材１４の外側に配置され一端が第一リンク部材１５の他端に軸着されると共に他端が本体部材１３に軸着される第二リンク部材１６と、本体部材１３に設けられスライド部材１４を常に取付面とは反対方向へ付勢する弾性手段２１と、本体部材１３に設けられスライド部材１４が弾性手段２１の弾性力に抗して取付面の方向へ摺動したとき該スライド部材１４に係合しかつ外部からその係合を解くことができる係止部材１７と、からなる締付固定具Ａを備えてなる。【選択図】図７
2010187743.tif 000002
【特許請求の範囲】
【請求項１】
遊技盤固定領域等の取付面に遊技盤等の遊技機部品を取着するための締付固定具を備えてなる遊技機であって、
前記締付固定具は、前記遊技機部品を取着する前記取付面に垂直に立設される本体部材と、前記本体部材の一側面に配置されその側面に沿って前記取付面に対し垂直方向へ摺動するスライド部材と、前記スライド部材における前記本体部材の反対側に配置され一端が該スライド部材に軸着される第一リンク部材と、前記スライド部材における前記本体部材の反対側に配置され一端が前記第一リンク部材の他端に軸着されると共に他端が前記本体部材に軸着される第二リンク部材と、前記本体部材に設けられ前記スライド部材を常に前記取付面とは反対方向へ付勢する弾性手段と、前記本体部材に設けられ前記スライド部材が前記弾性手段の弾性力に抗して前記取付面の方向へ摺動したとき該スライド部材に係合しかつその係合を外部から解くことができる係止部材とからなり、
前記スライド部材を前記弾性手段の弾性力に抗して摺動させると、該スライド部材と前記係止部材とが係合して第一・第二リンク部材が前記遊技機部品を押さえるように屈曲し、前記スライド部材と前記係止部材との係合を解くと、前記スライド部材が前記弾性手段により反対側へ摺動し第一・第二リンク部材がスライド部材側へ寄って伸びることを特徴とする遊技機。
【請求項２】
前記係止部材は、前記本体部材における前記スライド部材の反対側に配置され前記第二リンク部材と同軸上に軸着されると共に軸着部より取付面側が本体部材側に回動するように付勢され、前記スライド部材が前記弾性手段の弾性力に抗して前記取付面の方向へ摺動したとき該スライド部材に係脱自在に係合する係止片を備えている請求項１記載の遊技機。
【請求項３】
前記第二リンク部材に前記第一リンク部材と該第二リンク部材との軸着部を一定の間隔離して囲う弾性圧接部材を固着した請求項１又は２記載の遊技機。
【発明の詳細な説明】
【技術分野】
【０００１】
本発明は、遊技盤等の各種遊技機部品を小型でスペースを取らない締付固定具により取着できるようにした遊技機に関するものである。
【背景技術】
【０００２】
従来、遊技機の代表的なものとしてパチンコ遊技機が有る。該パチンコ遊技機の遊技機本体には、遊技盤、制御基板ボックス、球払出装置といった遊技機部品が取着される。この内、例えば、遊技盤について説明すると、該遊技盤の固定方法には、遊技機本体の後側から装着するタイプと前側から装着するタイプとが有る。そこで、遊技盤を遊技機本体の前側から装着するタイプのパチンコ遊技機は、特許文献１に示されるように遊技機本体の前面に遊技盤が嵌まり込むように後方へ窪む遊技盤固定領域が形成されている。
【０００３】
該遊技盤固定領域には、その背面の一側に上下に位置して遊技盤を固定するための締付固定具が配置される。これら締付固定具は、遊技盤固定領域の背面すなわち嵌まり込んだ遊技盤の前面と平行な面内で回動するつまみ片や突出片がそれぞれ上下部に軸装されている。そして、上部につまみ片が有る場合は、該つまみ片を回動して遊技盤側に開設した係止孔に係合させ、また、下部に突出片が有る場合は、該突出片を回動して遊技機本体に設けられた係止孔に係合させることにより、いずれも遊技盤を着脱自在に固定している。
【０００４】
遊技盤を遊技機本体の前側から装着する同タイプのパチンコ遊技機として、他に特許文献２に示されるものがある。該パチンコ遊技機は、遊技盤固定領域の背面に締付固定具が配置される。該締付固定具には、遊技盤の前面と平行な面内で回動するハンドルが軸装される。これに対し、遊技盤側には、その前面に前記締付固定具に対応位置して該締付固定具が挿通される係止穴を開設した盤面飾りが固着されている。この場合は、係止穴に対応位置し遊技盤に該係止穴よりも大径であって前記締付固定具が挿通する逃部を設けている。そして、遊技盤を遊技盤固定領域に嵌め込むときに、前記締付固定具を逃部を介して係止穴に挿通し、この状態でハンドルを回動して係止穴の周縁に該ハンドルを係合させることにより、遊技盤を着脱自在に固定している。
【先行技術文献】
【特許文献】
【０００５】
【特許文献１】特許第３８８９９６５号公報（第３−５頁、図４乃至図８）
【特許文献２】特許第４０３１６３８号公報（第３頁、図１、図２）
【発明の概要】
【発明が解決しようとする課題】
【０００６】
ところで、近年、パチンコ遊技機にあっては、経済性及びリサイクルの観点から、遊技を制御する制御基板ボックスと共に遊技盤のみを遊技機本体から自在に着脱できるようにしたパチンコ遊技機が主流になりつつある。
【０００７】
一方、遊技盤にあっては、その中央に配置され遊技内容を変動表示するディスプレーを備えた変動表示装置や演出用可動装置の大型化に伴い、遊技盤面であって内側・外側ガイドレールで囲まれる遊技領域としての遊技部の拡大化が強く望まれている。また、遊技盤面であって内側・外側ガイドレールの外側には、出荷先が厳格に管理できるようにメーカー名や製造番号等の必要事項を付した証紙や遊技の興趣を高めるための電飾部品が各所に装着されている。
【０００８】
しかるに、前記特許文献１、２のパチンコ遊技機では、遊技盤固定領域に嵌った遊技盤を固定する締付固定具のつまみ部やハンドルが本体枠の背面であって遊技盤の前面と平行な面内で回動するので、該締付固定具が遊技盤の前面や本体枠の前面で占める割合が比較的広くなる。ところが、遊技盤前面の周囲であって特にその右側は前記証紙や電飾装置が各所に配置される関係から、設置スペースにほとんど余裕がなく、その設置スペースを確保するに苦慮しているのが現状である。設置スペースという観点からすれば遊技盤面に限られることではなく、遊技機本体の前側や後側も多くの遊技機部品が取着されており、これら遊技機部品の設置スペースを確保するに苦慮している。よって、それら遊技機部品を固定する締付固定具にあっても、小型でスペースを取らないものが好ましい。
【０００９】
そこで、本発明は上記課題を解決すべくなされたもので、小型で設置スペースが少なくて済む締付固定具により遊技盤等の各種遊技機部品が装着できるようにした遊技機を提供することを目的とするものである。
【課題を解決するための手段】
【００１０】
かかる目的を達成するため本発明の遊技機は、遊技盤固定領域等の取付面に遊技盤等の遊技機部品を取着するための締付固定具を備えてなる遊技機であって、前記締付固定具は、前記遊技機部品を取着する前記取付面に垂直に立設される本体部材と、前記本体部材の一側面に配置されその側面に沿って前記取付面に対し垂直方向へ摺動するスライド部材と、前記スライド部材における前記本体部材の反対側に配置され一端が該スライド部材に軸着される第一リンク部材と、前記スライド部材における前記本体部材の反対側に配置され一端が前記第一リンク部材の他端に軸着されると共に他端が前記本体部材に軸着される第二リンク部材と、前記本体部材に設けられ前記スライド部材を常に前記取付面とは反対方向へ付勢する弾性手段と、前記本体部材に設けられ前記スライド部材が前記弾性手段の弾性力に抗して前記取付面の方向へ摺動したとき該スライド部材に係合しかつその係合を外部から解くことができる係止部材とからなり、前記スライド部材を前記弾性手段の弾性力に抗して摺動させると、該スライド部材と前記係止部材とが係合して第一・第二リンク部材が前記遊技機部品を押さえるように屈曲し、前記スライド部材と前記係止部材との係合を解くと、前記スライド部材が前記弾性手段により反対側へ摺動し第一・第二リンク部材がスライド部材側へ寄って伸びることを特徴とする。
【００１１】
この際、前記係止部材は、前記本体部材における前記スライド部材の反対側に配置され前記第二リンク部材と同軸上に軸着されると共に軸着部より取付面側が本体部材側に回動するように付勢され、前記スライド部材が前記弾性手段の弾性力に抗して前記取付面の方向へ摺動したとき該スライド部材に係脱自在に係合する係止片を備えるようにすることが好ましい。
【００１２】
また、前記第二リンク部材に、前記第一リンク部材と該第二リンク部材との軸着部を一定の間隔離して囲う弾性圧接部材を固着することが好ましい。
【発明の効果】
【００１３】
本発明に係る遊技機は、前記締付固定具が遊技盤等の遊技機部品を取着する取付面に垂直に立設される本体部材と、本体部材の一側面に配置されその側面に沿って取付面に対し垂直方向へ摺動するスライド部材と、スライド部材における前記本体部材の反対側に配置され一端が該スライド部材に軸着される第一リンク部材と、スライド部材における前記本体部材の反対側に配置され一端が第一リンク部材の他端に軸着されると共に他端が本体部材に軸着される第二リンク部材と、本体部材に設けられスライド部材を常に取付面とは反対方向へ付勢する弾性手段と、本体部材に設けられスライド部材が弾性手段の弾性力に抗して取付面の方向へ摺動したとき該スライド部材に係合しかつその係合を外部から解くことができる係止部材とからなり、スライド部材を弾性手段の弾性力に抗して摺動させると、該スライド部材と係止部材とが係合して第一・第二リンク部材が遊技機部品を押さえるように屈曲し、スライド部材と係止部材との係合を解くと、スライド部材が弾性手段により反対側へ摺動し第一・第二リンク部材がスライド部材側へ寄って伸びるようにした。
【００１４】
このように本発明は、取付面に配置した遊技機部品を固定しない状態では、弾性手段によりスライド部材が本体部材に沿って摺動すると共にこれに伴い第一・第二リンク部材も伸びてスライド部材の側面に重なるように寄り、三部材が平たく重ね合わさるように配置されるので、取付面上で締付固定具の占める面積割合が極端に少なくなる。よって、締付固定具は小型に形成できるばかりか、設置スペースも少なくて済み、遊技機部品の設置スペースの確保が容易になるという効果がある。
【００１５】
また、前記係止部材は、前記本体部材の他側に配置され第二リンク部材と同軸上に軸着されると共に軸着部より取付面側が本体部材側に回動するように付勢され、スライド部材が弾性手段の弾性力に抗して取付面の方向へ摺動したとき該スライド部材に係脱自在に係合する係止片を備えるようにすれば、締付固定具全体が薄くできるばかりか、動作性も良い。
【００１６】
更に、前記第二リンク部材に、第一リンク部材と該第二リンク部材との軸着部を一定の間隔離して囲う弾性圧接部材を固着するようにすれば、スライド部材を弾性手段の弾性力に抗して摺動させることにより弾性圧接部材が遊技機部品に当接して該遊技機部品をしっかりと固定保持するので、遊技機部品に緩みが無くなりその固定状態が安定する。
【図面の簡単な説明】
【００１７】
【図１】本発明に係るパチンコ遊技機であって透明板保持枠を開いた状態の斜視図。
【図２】同遊技盤を分解して示す斜視図。
【図３】パチンコ遊技機の拡大平面断面図。
【図４】（イ）は折り畳んだ状態の締付固定具の上から見た斜視図、（ロ）は同下から見た斜視図。
【図５】（イ）は開いた状態の締付固定具の上から見た斜視図、（ロ）は同下から見た斜視図。
【図６】締付固定具の分解斜視図。
【図７】（イ）（ロ）（ハ）は締付固定具の作用を示す側面図。
【図８】（イ）（ロ）（ハ）は締付固定具の作用を示す断面図。
【発明を実施するための形態】
【００１８】
以下、本発明に係る遊技機の最良の実施の形態を図面に基づき詳しく説明する。本発明は、パチンコ遊技機、アレンジボール機、雀球機、パチスロ機等の遊技機に適用されるが、この内、本発明はパチンコ遊技機に適用される場合について説明する。図１は本発明に係るパチンコ遊技機であって透明板保持枠を開いた状態の斜視図、図２は同遊技盤を分解して示す斜視図である。
【００１９】
パチンコ遊技機Ｐは、遊技機本体１と該遊技機本体１の前面に開閉自在に軸着される透明板保持枠２及びこの下方に位置する球受皿３とからなる。遊技機本体１は、縦長長方形状の機枠４を有し、該機枠４の前側に本体枠５が開閉自在に装着される。該遊技機本体１すなわち本体枠５の前面に、遊技盤固定領域６として遊技盤７を前側から嵌め込んで固定する凹窪部が形成される。遊技盤固定領域６は周囲を残して後面が開放しており、遊技盤７の後面に装着され該後面から後方へ突出する盤面部品や制御基板ボックスといった遊技機部品が干渉しないようになっている。遊技盤７の前面には、渦巻き状に敷設された内側・外側ガイドレール８ａ，８ｂにより囲われるようにして遊技領域である遊技部７ａが形成される。
【００２０】
図示は省略するが、前記遊技部７ａには、例えばその中央に文字、数字等の図柄を変動表示する変動表示装置が配設される。また、その下方に遊技部７ａに打ち込まれた遊技球が入賞することにより変動表示装置に表示した図柄を変動させる始動入賞口が配置され、更に、その下方に一度に多くの入賞球を発生する大型の入賞装置が配置される。遊技部７ａの中央下縁に、遊技部７ａに打ち込まれた遊技球であっていずれの入賞口にも入賞しなかった遊技球をアウト球として遊技盤７の後側へ排出するアウト球口が設けられている。
【００２１】
前記遊技機本体１の本体枠５の一側に、遊技盤７の前面を覆う透明板保持枠２が軸着される。該透明板保持枠２は、額縁状に形成されると共に該透明板保持枠２にガラス板または合成樹脂板からなる透明板２ａが装着される。また、透明板保持枠２の下方に打球発射位置（図示せず。）に供給する遊技球を貯留する球受皿３が装着され、その一側に遊技部７ａに打ち込まれる遊技球の打球力を調整するための打球力調整ハンドル１０が装着されている。
【００２２】
次に、遊技盤固定領域６について説明する。図３に示すように遊技盤固定領域６の凹窪部内の横幅は、嵌合して取り付けられる遊技盤７が前側から見て左右方向にはずれない幅を有し、凹窪部内の下部底面に遊技盤７の下端面７ｂを載せる水平な載置台６ａが設けられる。また、凹窪部内の一側、すなわちパチンコ遊技機Ｐを正面から見て左側、に上下に位置して遊技盤７の一側を挿入するための挟着片１１，１１が設けられている。詳しくは、本体枠５の側縁すなわち遊技盤固定領域６における取付面である側縁部の前面６ｂと挟着片１１の後面との間の間隔が挟着部１２となり、遊技盤７の厚み寸法とほぼ一致する。一方、反対側すなわち右側の取付面である側縁部の前面６ｂに、同じく上下に位置して遊技盤６の他側を固定する締付固定具Ａが設けられている。
【００２３】
更に、図４乃至６に基づき締止固定具Ａについて説明する。該締止固定具Ａは、遊技盤固定領域６における取付面である側縁部の前面６ａに固着され、上下部にそれぞれ一個ずつ線対称となるように配置される。該締付固定具Ａは、本体部材１３と、スライド部材１４と、一対の第一・第二リンク部材１５，１６と、係止部材１７と、弾性圧接部材１８とからなり、これらは金属板を打ち抜き及び曲げ加工により形成される。特に、この場合、本体部材１３は磁石が吸着するように磁性体から成形されている。
【００２４】
本体部材１３は、長方形状の本体基板１３１と該本体基板１３１の長手方向の一端縁に連接され該本体基板１３１と直角に折れ曲がる座板１３２とからなる。本体基板１３１の短手方向の両端縁に座板１３２と同じ方向へ直角に折れ曲がる支持片１３３，１３３が設けられ、該支持片１３３，１３３間には座板１３２と平行な固定軸１３４が架設される。また、本体基板１３１の座板１３２側に、長手方向に沿って長い平行な一対の挿通孔１３５，１３５が開設されている。一方、座板１３２には一対の螺子挿通孔１３６，１３６が設けられ、該座板１３２が遊技盤固定領域６の取付面である側縁部の前面６ａに当接して螺子１９止めされることにより本体部材１３が固着されることになる。
【００２５】
スライド部材１４は、前記本体基板１３１とほぼ同じ長さを有すると共に該本体基板１３１より幅が狭く該本体基板１３１の内側面すなわち折れ曲がった座板１３２と同側面に接するようにして摺動するスライド基板１４１と、長手方向であって座板１３２とは反対側の端縁に直角に折れ曲がった操作板１４２とからなる。スライド基板１４１には、前記本体基板１３１の両挿通孔１３５，１３５に対応位置させて長手方向に沿って長い係合部としての係合孔１４３，１４３が開設されている。また、前記操作板１４２の先端には、両端部が操作板１４２の外側に突出する支軸１４４が固着されている。該支軸１４４は、前記本体部材１３の固定軸１３４と平行に配置されることになる。各係合孔１４３は係止部材１７の後記する係止片１７４が係合するものであるが、係合部としては係合孔１４３でなくてもスライド基板１４１の短手方向を切り欠いて設けられる切欠凹部であっても良い。
【００２６】
第一リンク部材１５は、前記本体基板１３１と同じ幅を有する方形板状をなし、その一側縁の両端に前記スライド部材１４における操作板１４２先端の支軸１４４が挿通される短軸筒１５１，１５１が設けられ、他側端に両側の同じく短軸筒１５２，１５２に挿入して固定軸１５３が固着される。第一リンク部材１５の固定軸１５３は、操作板１４２の支軸１４４と平行に配置されることになる。第二リンク部材１６は、第一リンク部材１５よりも一回り小さい方形板状をなし、その一側縁に第一リンク部材１５における固定軸１５３が挿通される長軸筒１６１が設けられ、他側縁の両端に前記本体部材１３における本体基板１３１の固定軸１３４が挿通される短軸筒１６２，１６２が設けられている。これにより、第一リンク部材１５と第二リンク部材１６とがスライド部材１４の外側すなわちスライド基板１４１における本体部材１３の反対側に屈曲自在に連接した状態で配置され、スライド部材１４の操作板１４２に第一リンク部材１５が回動自在に連接され、更に、本体部材１３の本体基板１３１に第二リンク部材１６が回動自在に連接されることになる。そして、スライド部材１４が本体基板１３１に接するようにして往復摺動することにより、第一・第二リンク部材１５，１６が自在に屈曲又は伸びるようになっている。前記スライド部材１４の摺動距離は、第二リンク部材１６の長軸筒１６１から短軸筒１６２までの距離とほぼ同じ長さになっており、操作板１４２の押圧操作により第二リンク部材１６は固定軸１３４を中心として回動しスライド部材１４に対し垂直角度をなすような位置で固定される。
【００２７】
係止部材１７は、前記本体基板１３１の外側面すなわち座板１３２が設けられている側とは反対側の側面に沿って重なるように配置され、その係止基板１７１のほぼ中央の両側に軸孔１７２が開設された軸受板１７３，１７３が平行に突設されている。両軸受板１７３，１７３は、本体基板１３１の短手方向の両側縁に設けられた透孔１３７，１３７に挿通されると共に各軸孔１７２，１７２に本体基板１３１の固定軸１３４が挿通される。これにより、該固定軸１３４を中心として係止部材１７が、本体基板１３１と直交する面内で僅かに回動することになる。その直交する面内であって係止基板１７１の一端側には、その両側に本体基板１３１の両挿通孔１３５，１３５に挿通される係止片１７４，１７４が平行に突設される。各係止片１７４は、先端縁すなわち座板１３２側の先端縁が係止基板１７１に対し直交するようになっており、本体基板１３１の挿通孔１３５，１３５と対向する面は軸受板１７３側に進むに従い係止基板１７１へ漸次近づく傾斜面１７５になっている。また、直交する面内であって係止基板１７１の他端側は、その先端に進むに従い漸次本体基板１３１との間の距離が離れるように傾斜した解除板部１７６が形成される。係止片１７４，１７４間であって本体基板１３１と対向する係止基板１７１の一側面に、付勢手段として磁石板２０が固着されている。これにより、係止部材１７は係止片１７４，１７４が本体部材１３における本体基板１３１側へ付勢されることになる。
【００２８】
前記第一・第二リンク部材１５，１６を更に詳しく説明する。まず、前記本体基板１３１における固定軸１３４には弾性手段であるねじりバネ２１が巻装され、その一端が第二リンク部材１６の外側面に当接し、他側が本体基板１３１の透孔１３７に係合し、スライド部材１４を常に座板１３２側とは反対側へ付勢している。そこで、常態では、前記ねじりバネ２１によって第一・第二リンク部材１５，１６が伸びるように付勢されると共にスライド部材１４も付勢され、該スライド部材１４が座板１３２とは反対側へ摺動している。このとき、第一リンク部材１５と第二リンク部材１６とは伸びてスライド基板１４１と共に本体基板１３１側へ寄って重なっており、スライド部材１４は挿通孔１３５，１３５から遠ざかっている。また、係止部材１７は付勢手段である磁石板２０の吸着力により係止片１７４，１７４側が本体基板１３１に吸着し、両係止片１７４，１７４が両挿通孔１３５，１３５に介入している。
【００２９】
この状態から、スライド部材１４の操作板１４２を座板１３２側へ押すと、スライド部材１４がねじりバネ２１の付勢に抗して台座１３２側へ摺動する。そして、スライド基板１４１における操作板１４２の反対側の端縁１４５が本体基板１３１の両側に開設された各挿通孔１３５から座板１３２側へ突出していた各係止片１７４の傾斜面１７５に当接し、各係止片１７４を座板１３２とは反対側へ押し退けるようにして摺動する。そして、最終的にスライド部材１４におけるスライド基板１４１の各係合孔１４３が本体基板１３１の各挿通孔１３５に合致する位置で、各係止片１７４が各係合孔１４３に係合する。この状態で操作板１４２から指を離すと、各係合孔１４３に各係止片１７４が係合してスライド部材１４が停止する。また、このとき、第二リンク部材１６は本体基板１３１に対してほぼ直角になるように位置しており、第一リンク部材１５と本体基板１３１とで丁度側面が直角三角形となるようになっている。
【００３０】
この状態で、係止部材１７の解除板部１７６を本体基板１３１側へ近づけると、両係止片１７４，１７４が両係合孔１４３，１４３から退き、両係合孔１４３，１４３から外れる。これにより、スライド部材１４が自由になって前記ねじりバネ２１の付勢により元の位置に摺動して復帰する。
【００３１】
前記第二リンク部材１６には、その外側面に弾性圧接部材１８が固着される。すなわち、該弾性圧接部材１８は、第二リンク部材１６の外側面に当接する取付板１８１を有し、該取付板１８１の一側縁に中心軸線に対し直交する断面が半円弧状に形成される圧接部１８２が連接される。そして、取付板１８１に開設された螺子挿通孔１８３，１８３を介して第二リンク部材１６に設けられた螺子孔１６３，１６３に螺子２２を螺締することにより、弾性圧接部材１８を第二リンク部材１６に固着したとき、前記圧接部１８２が第一・第二リンク部材１５，１６の軸着部２３を外側から一定の距離を保って囲うようになっている。弾性圧接部材１８は、スライド部材１４をねじりバネ２１の付勢に抗して座板１３２側へ摺動させ両係合孔１４３，１４３に両係止片１７４，１７４が係合したとき、後記するように遊技盤７の前面に当接して緩まないように遊技盤７を強く押さえる機能がある。
【００３２】
本発明にあっては、遊技盤７の後面の所定位置、この場合遊技盤７を前から見て右側の後面に電気的な接続部として多数の配線（図示せず。）を接続したコネクター２７が設けられる。また、これと対応して遊技盤固定領域６における取付面には、前記コネクター２７と対向位置し該コネクター２７と接続できるコネクター２８が取り付けられている。これら両コネクター２７，２８は、遊技盤７を遊技盤固定領域６に前側から押し込むことにより自動的に接続され、逆に、遊技盤７を前側へ引き出すとその接続が外れることになる。
【００３３】
本発明に係るパチンコ遊技機Ｐは上記構成からなり、次に遊技盤７を遊技盤固定領域６に取り付けて固定する方法を説明する。この場合、上部の締付固定具Ａも同様な動作をなす関係上、下部の締付固定具Ａを主として説明する。該締付固定具Ａは、遊技盤固定領域６の下部であって側縁部の前面６ｂに凹設された取付凹部２４に座板１３２を当接させ、各螺子挿通孔１３６を介して取付凹部２４の螺子孔２５に螺子１９を螺締することにより固着される。このとき、締付固定具Ａは、スライド部材１４の操作板１４２が前方を向きかつ第一・第二リンク部材１５，１６が上方を向いている。
【００３４】
遊技盤固定領域６から遊技盤７が外されている状態では、図７（イ）、図８（イ）に示すように第一・第二リンク部材１５，１６はいずれも伸びてスライド部材１４のスライド基板１４１側へ寄って重なるようにしている。そこで、この状態で図３鎖線に示すように遊技盤固定領域６の前面に遊技盤７を配置すると共に横方向へずらせて、該遊技盤７の一側縁を遊技盤固定領域６の一側に設けられた挟着部１２に差し込む。次に、該遊技盤７の他側縁を遊技盤固定領域６に押し込む。この状態で、操作板１４２を後方へ押しスライド部材１４を本体部材１３の本体基板１３１に沿って摺動させる。これに伴い、図７（ロ）、図８（ロ）に示すようにスライド基板１４１の端縁が係止部材１７における両係止片１７４，１７４の傾斜面１７５，１７５に当接し、磁石板２０の吸着力に抗して両係止片１７４，１７４を両挿通孔１３５，１３５から下方へ退かす。更に、スライド部材１４を後方へ摺動させることにより、両挿通孔１３５，１３５とスライド基板１４１の両係合孔１４３，１４３とが合致した位置で、再び両係止片１７４，１７４が上方へ突出して図７（ハ）、図８（ハ）に示すように両係合孔１４３，１４３に係合する。
【００３５】
この状態では、第一リンク部材１５が支軸１４４を中心として上方へ回動し、また、第二リンク部材１６も上方へ回動して、第一・第二リンク部材１５，１６の軸着部２３、正確には弾性圧接部材１８の圧接部１８２が遊技盤７の前面に当接する。上部の締付固定具Ａについても同様な操作をする。これにより、遊技盤７が固定される。各締付固定具Ａにあっては、遊技盤７の前面に弾性圧接部材１８の圧接部１８２がその弾性力により強く当たるので、常に遊技盤７を後方へ押し続けており緩むようなことはなく、遊技盤７の緩みやガタツキが防止される。
【００３６】
遊技盤固定領域６から遊技盤７を取り外すには、指先で係止部材１７の前端部の解除板部１７６を本体部材１３における本体基板１３１に押し付ける。これにより、磁石板２０の吸着力に抗して両係止片１７４，１７４が両係合孔１４３，１４３から退いて係合が外れ、ねじりバネ２１の付勢により第一・第二リンク部材１５，１６を介してスライド部材１４が前方へ摺動する。これに伴い、第一・第二リンク部材１５，１６が再び伸びてスライド部材１４におけるスライド基板１４１に重なるようになる。そこで、遊技盤７を前方へ引き出しつつ取り外せることになる。
【００３７】
このように本発明は、遊技盤固定領域６から遊技盤７が外されている状態では、ねじりバネ２１の付勢により第一・第二リンク部材１５，１６を介してスライド部材１４が本体部材１３に沿って摺動すると共にこれに伴い第一・第二リンク部材１５，１６も伸びてスライド部材１４の側面に重なるように寄り、これら三部材が平たく重ね合わさるように配置される。このとき、これを遊技盤固定領域６の前側から見た場合、その前面における締付固定具Ａの占める面積割合が極端に少なく、しかも、該締付固定具Ａは遊技盤７の前面に対して直交する面で動作するので、その動作範囲もその前面における面積割合が少ない。よって、締付固定具Ａは小型に形成できるばかりか、設置スペースも少なくて済み、遊技盤７等の遊技機部品の設置スペースの確保が容易になる。
【００３８】
しかも、操作板１４２に指先を当てスライド部材１４をワンタッチ式に後方へ押し込むのみで遊技盤７が固定できるので、作業が極めて簡単であるばかりか操作板１４２が比較的幅広に形成されているので指でも押し易い。また、固定解除状態のときにスライド部材１４を前方へ所定長さ突出するようにしておき、透明板保持枠２を閉めた際に該透明板保持枠２がスライド部材１４前端の操作板１４２に当接して閉めれないようにしておけば、その状態で締付固定具Ａを操作し忘れていることが解り、至便である。
【００３９】
また、前記係止部材１７は、本体部材１３の他側面に配置され第二リンク部材１６と同軸上に軸着されると共にその軸着部より取付面側が本体基板１３１側に回動するように付勢され、スライド部材１４がねじりバネ２１の付勢に抗して側縁部の前面６ｂの方向へ摺動したとき該スライド部材１４に係脱自在に係合する係止片１７４を備えるようにしているので、締付固定具Ａ全体が薄くできるばかりか、動作性も良い。
【００４０】
更に、前記第二リンク部材１６に、第一リンク部材１５と該第二リンク部材１６との軸着部２３を一定の間隔離して囲う弾性圧接部材１８を固着するようにしたので、スライド部材１４をねじりバネ２１の弾性力に抗して摺動させることにより弾性圧接部材１８がその弾性力によって遊技盤７に当接し該遊技盤７をしっかりと固定保持する。これにより、緩みが無くなり遊技盤７の固定状態が安定する。
【００４１】
本発明では、遊技盤固定領域６にその前側から遊技盤７を固定する場合を説明したが、逆に遊技盤固定領域６にその後側から遊技盤７を固定する場合も、締付固定具Ａを使用して同様に遊技盤７が着脱自在に固定できる。また、弾性手段としてねじりバネ２１を使用したが、これに限定されるものではなく引っ張りバネを使用しても良い。同様に、係止部材１７を付勢するに磁石板２０を使用したが、これに限定されるものではなく、例えば引っ張りバネであっても良い。
【符号の説明】
【００４２】
６ｂ            取付面（側縁部の前面）
７              遊技盤
１３            本体部材
１４            スライド部材
１５            第一リンク部材
１６            第二リンク部材
１７            係止部材
１７４          係止片
１８            弾性圧接部材
２１            ねじりバネ
２３            軸着部
Ａ              締付固定具
Ｐ              遊技機（パチンコ遊技機）
【図１】
2010187743.tif 000003
【図２】
2010187743.tif 000004
【図３】
2010187743.tif 000005
【図４】
2010187743.tif 000006
【図５】
2010187743.tif 000007
【図６】
2010187743.tif 000008
【図７】
2010187743.tif 000009
【図８】
2010187743.tif 000010